(57)【要約】【課題】遊技盤裏面のスペースを確保すると共に、球排出機構への安定した遊技球の供給を可能としたまま整列案内流路を補給レバーと干渉しない位置に配設する。【解決手段】遊技機１００の球貯留タンク４０は、上面が開口する平面略長方形の箱形に形成され、当該球貯留タンクの長手方向に沿う遊技機左右方向の一方に下り傾斜する底壁４０ａと、底壁の遊技盤側に位置する前壁４０ｄと、前壁と対向する後壁４０ｅと、を備え、且つ、底壁の傾斜下流側に形成され、遊技球を整列案内流路５２側に案内する後方案内部４２と、底壁の傾斜下流側の後壁を後方に膨出させて形成し、上下方向に貫通して下端が整列案内流路に接続され、後方案内部に案内された遊技球を下方に流下させる接続流路４３と、を有している。【選択図】図１１
2010279814.tif 000002
【特許請求の範囲】
【請求項１】
遊技領域を形成する遊技盤を着脱可能に配設する前面枠と、該前面枠の裏面側に設けられ、遊技球を排出する球排出機構が設けられる裏機構枠と、識別図柄を変動表示する変動表示ゲームを表示可能な変動表示装置と、を備えた遊技機において、
前記裏機構枠は、
裏機構枠本体と、
該裏機構枠本体の上部に配設され、遊技球を貯留する球貯留タンクと、
該球貯留タンクの後方且つ下方に配設され、該球貯留タンクから流下された遊技球を整列して案内する整列案内流路と、
を備え、
前記球貯留タンクは、
上面が開口する平面略長方形の箱形に形成され、当該球貯留タンクの長手方向に沿う遊技機左右方向の一方に下り傾斜する底壁と、前記底壁の前記遊技盤側に位置する前壁と、前記前壁と対向する後壁と、を備え、且つ、
前記底壁の傾斜下流側に形成され、遊技球を前記整列案内流路側に案内する後方案内部と、
前記底壁の傾斜下流側の前記後壁を後方に膨出させて形成し、上下方向に貫通して下端が前記整列案内流路に接続され、前記後方案内部に案内された遊技球を下方に流下させる接続流路と、
を有し、
前記変動表示装置の少なくとも一部は、前記接続流路の下端に接続された整列案内流路の前方の前記遊技盤裏面側、且つ、前記球貯留タンク下方に形成される遊技装置配置空間に配設されることを特徴とする遊技機。
【請求項２】
前記整列案内流路の一端部側には前記接続流路が接続され、
前記整列案内流路の他端部側には前記球排出機構が配置され、
前記遊技装置配置空間は、前記整列案内流路の前方から前記球排出機構の前方にわたって形成されることを特徴とする請求項１に記載の遊技機。
【請求項３】
前記裏機構枠は、前記変動表示装置が前記遊技装置配置空間内を前後方向にスライド可能となるように前記変動表示装置を支持することを特徴とする請求項１又は請求項２に記載の遊技機。
【発明の詳細な説明】
【技術分野】
【０００１】
本発明は、遊技領域を形成する遊技盤を着脱可能に配設する前面枠と、該前面枠の裏面側に設けられ、遊技球を排出する球排出機構が設けられる裏機構枠と、を備えた遊技機に関する。
【背景技術】
【０００２】
従来、球タンクの下方に遊技球が整列して待機する整列案内流路が設けられていた（例えば、特許文献１参照）。
また、島設備には、球タンクに遊技球を補給する補給装置が設けられており、補給装置には、補給レバーが設けられ、前面枠を閉じた場合に、球タンクに押圧されて後方に移動して補給可能な状態に変換し、前記前面枠を開放すると、前方に移動して補給不可能な状態に変換するようにしている（例えば、特許文献２参照）。
【先行技術文献】
【特許文献】
【０００３】
【特許文献１】特開２００５−７０５６号公報
【特許文献２】特開２０００−１５３０４０号公報
【発明の概要】
【発明が解決しようとする課題】
【０００４】
近年では、インパクトのある遊技機の要望が多く、各メーカーが競って、表示領域の大型化や装飾部材の大型化をしてきている。そのため遊技盤裏面側に大型の遊技装置を配置するスペースが必要になってきている。しかし、従来のようにタンクの下方に整列案内流路を配置すると、上方に遊技装置を配置する空間がとれないという問題が生じる。
【０００５】
また、球タンクの後方に整列案内流路を移動させて遊技装置配置空間を設けるように場合には、補給装置の補給レバーが整列案内流路に干渉してしまい前面枠を閉じることができなくなってしまう。さらに、補給レバーと干渉しないように整列案内流路を下方に下げて配設した場合には、球タンクと整列案内流路とが上下方向に離れてしまい球タンクから整列案内流路に流下するところで球詰まりが生じやすくなってしまうという問題が生じる。
【０００６】
本発明の目的は、遊技領域を形成する遊技盤を着脱可能に配設する前面枠と、該前面枠の裏面側に設けられ、遊技球を排出する球排出機構が設けられる裏機構枠と、を備えた遊技機において、遊技盤裏面のスペースを確保すると共に、球排出機構への安定した遊技球の供給を可能としたまま整列案内流路を補給レバーと干渉しない位置に配設することである。
【課題を解決するための手段】
【０００７】
以上の課題を解決するため、請求項１に記載の発明は、遊技領域を形成する遊技盤を着脱可能に配設する前面枠と、該前面枠の裏面側に設けられ、遊技球を排出する球排出機構が設けられる裏機構枠と、識別図柄を変動表示する変動表示ゲームを表示可能な変動表示装置と、を備えた遊技機において、
前記裏機構枠は、
裏機構枠本体と、
該裏機構枠本体の上部に配設され、遊技球を貯留する球貯留タンクと、
該球貯留タンクの後方且つ下方に配設され、該球貯留タンクから流下された遊技球を整列して案内する整列案内流路と、
を備え、
前記球貯留タンクは、
上面が開口する平面略長方形の箱形に形成され、当該球貯留タンクの長手方向に沿う遊技機左右方向の一方に下り傾斜する底壁と、前記底壁の前記遊技盤側に位置する前壁と、前記前壁と対向する後壁と、を備え、且つ、
前記底壁の傾斜下流側に形成され、遊技球を前記整列案内流路側に案内する後方案内部と、
前記底壁の傾斜下流側の前記後壁を後方に膨出させて形成し、上下方向に貫通して下端が前記整列案内流路に接続され、前記後方案内部に案内された遊技球を下方に流下させる接続流路と、
を有し、
前記変動表示装置の少なくとも一部は、前記接続流路の下端に接続された整列案内流路の前方の前記遊技盤裏面側、且つ、前記球貯留タンク下方に形成される遊技装置配置空間に配設されることを特徴とする。
【０００８】
請求項１に記載の発明によれば、球貯留タンクから流下された遊技球を整列して案内する整列案内流路を、遊技盤を配設する前面枠の裏面側に設けられる裏機構枠本体の上部に配設される球貯留タンクより後方に設けたので、遊技盤上部後方に大きな遊技装置配置空間を形成することができる。これにより、多彩な遊技装置を配設した遊技盤を配設でき、遊技の興趣を向上することができる。
【０００９】
また、整列案内流路の流路底壁には、該流路底壁上流側で上下方向に貫通して下端が整列案内流路に接続された接続流路の下方に、流路底壁上流側が高い段部を設けたので、この部分における球詰まりの発生を防止できる。すなわち、遊技球が上下に重なる接続流路では、下方にある遊技球に積み重なった遊技球の重さによる大きな圧力がかかり、球詰まりが発生する虞があるが、段部を設けることで上方からの圧力が分散され、球詰まりの発生を防止できる。これにより、球排出機構への安定した遊技球の供給を可能としたまま接続流路を長くして整列案内流路を補給レバーと干渉しない位置まで下げて配設できる。
更に、接続流路は、球貯留タンクの後壁を後方に膨出させて形成し、上下方向に貫通して下端が球貯留タンクの後方かつ下方に配設された整列案内流路に接続されているので、後方案内流路に流入した遊技球は、傾斜に沿って後方に向かって流下し接続流路に流入する。そして、後方案内流路に案内されて接続流路に流入し、整列案内流路に誘導される。このため、整列案内流路を球貯留タンク後方に設けても、遊技球を安定して整列案内流路に案内可能となり、整列案内流路の前方かつ球貯留タンクの下方に遊技装置配置空間を作り出すことができる。
【００１０】
請求項２に記載の発明は、請求項１に記載の遊技機であって、前記整列案内流路の一端部側には前記接続流路が接続され、
前記整列案内流路の他端部側には前記球排出機構が配置され、
前記遊技装置配置空間は、前記整列案内流路の前方から前記球排出機構の前方にわたって形成されることを特徴とする。
【００１１】
請求項２に記載の発明によれば、前記遊技装置配置空間は、前記整列案内流路の前方から前記球排出機構の前方にわたって形成されることで、変動表示装置を上方だけでなく側方にも大型化でき、表示領域の大部分に変動表示装置の画像を表示することができる。
【００１２】
請求項３に記載の発明は、請求項１又は請求項２に記載の遊技機であって、前記裏機構枠は、前記変動表示装置が前記遊技装置配置空間内を前後方向にスライド可能となるように前記変動表示装置を支持することを特徴とする。
【００１３】
請求項３に記載の発明によれば、裏機構枠は、遊技盤の後方の遊技装置配置空間に、表示ゲームを実行する変動表示装置を前後方向にスライド可能に支持するので、遊技盤の後方突出量に応じて変動表示装置の前後位置を変化でき、複数種類の遊技盤を装着可能となる。また、このように裏機構枠によって前後動可能に支持されるので大型の変動表示装置も配設可能となる。さらに、裏機構枠に変動表示装置を設けることで、遊技盤を新規なものに交換する場合でも、変動表示装置をそのまま残して共通使用することが可能となる。
【発明の効果】
【００１４】
本発明によれば、球貯留タンクから流下された遊技球を整列して案内する整列案内流路を、遊技盤を配設する前面枠の裏面側に設けられる裏機構枠本体の上部に配設される球貯留タンクより後方に設けたので、遊技盤上部後方に大きな遊技装置配置空間を形成することができる。これにより、多彩な遊技装置を配設した遊技盤を配設でき、遊技の興趣を向上することができる。
【００１５】
また、整列案内流路の流路底壁には、該流路底壁上流側で上下方向に貫通して下端が整列案内流路に接続された接続流路の下方に、流路底壁上流側が高い段部を設けたので、この部分における球詰まりの発生を防止できる。すなわち、遊技球が上下に重なる接続流路では、下方にある遊技球に積み重なった遊技球の重さによる大きな圧力がかかり、球詰まりが発生する虞があるが、段部を設けることで上方からの圧力が分散され、球詰まりの発生を防止できる。これにより、球排出機構への安定した遊技球の供給を可能としたまま接続流路を長くして整列案内流路を補給レバーと干渉しない位置まで下げて配設できる。
更に、接続流路は、球貯留タンクの後壁を後方に膨出させて形成し、上下方向に貫通して下端が球貯留タンクの後方かつ下方に配設された整列案内流路に接続されているので、後方案内流路に流入した遊技球は、傾斜に沿って後方に向かって流下し接続流路に流入する。そして、後方案内流路に案内されて接続流路に流入し、整列案内流路に誘導される。このため、整列案内流路を球貯留タンク後方に設けても、遊技球を安定して整列案内流路に案内可能となり、整列案内流路の前方かつ球貯留タンクの下方に遊技装置配置空間を作り出すことができる。
【図面の簡単な説明】
【００１６】
【図１】本発明を適用した一実施の形態の構成を示す遊技機の前面側から見た斜視図であって、透明部材保持枠を開放した様子を示す図である。
【図２】遊技盤を取り外した遊技機の前面側から見た斜視図であって、透明部材保持枠を開放した様子を示す図である。
【図３】遊技機の裏面側を示す斜視図である。
【図４】遊技盤の裏面側を示す斜視図である。
【図５】裏機構枠の前面側から見た斜視図である。
【図６】裏機構枠の前面側から見た分解斜視図である。
【図７】裏機構枠の裏面図であって、島設備に設けられた補給レバーの位置を示す図である。
【図８】裏機構枠の裏面図であって、誘導流路形成部材、排出装置、下部流路形成部材の裏面側のカバーを取り外した様子を示す図である。
【図９】裏機構枠の側面から見た斜視図である。
【図１０】裏機構枠の裏面側を示す分解斜視図である。
【図１１】球貯留タンクの上方から見た斜視図である。
【図１２】（ａ）球貯留タンクの上面図である。（ｂ）（ａ）に示すＡ−Ａ断面における断面図である。（ｃ）（ａ）に示すＢ−Ｂ断面における断面図である。
【図１３】（ａ）球貯留タンクの上面図である。（ｂ）（ａ）に示すＡ−Ａ断面における断面図である。（ｃ）（ａ）に示すＢ−Ｂ断面における断面図である。（ｄ）（ａ）に示すＣ−Ｃ断面における断面図である。（ｅ）（ｂ）に示す断面図であって、遊技球の流下態様を示した図である。
【図１４】（ａ）球貯留タンクの側面図である。（ｂ）（ａ）に示すＡ−Ａ断面における断面図である。（ｃ）（ａ）に示すＡ−Ａ断面における断面図であって、遊技球の流下態様を示した図である。
【発明を実施するための形態】
【００１７】
以下、この発明の実施形態について図面を参照して説明する。
ここでは、本発明にかかる遊技機の適例としてのパチンコ遊技機について図１から図１４を用いて説明を行う。
【００１８】
図１から３に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００１９】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２０】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２１】
また、前面枠本体１３０の遊技盤１が嵌め込まれた開口部１３１、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００２２】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカなどが設けられている。
【００２３】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２４】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン１５５が設けられている。また、開閉パネル１５１の下側の下部パネル１５２には、上皿１５３に収容しきれない遊技球を収容する下皿１５４及び灰皿と、第１遊技領域１ａに向けての遊技球の発射操作を行うとともに、該第１遊技領域１ａに遊技球を発射する際の発射勢を調節するための操作ハンドル１５６、音声を出力するスピーカ１５７などが設けられている。
【００２５】
また、図３に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００２６】
また、前面枠本体１３０の裏面側であって遊技盤１が嵌め込まれた開口部１３１の下方には、排出装置１９０による賞球の排出、発射装置による遊技球の発射を制御する排出発射制御装置３４、遊技機１００内の各装置に電力を供給する電源回路としての電源供給装置３７が取り付けられている。
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２７】
図１，４に示すように、前面枠本体１３０の開口部１３１に嵌め込まれる遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有し、この第１遊技領域１ａ内に発射装置（図示略）から遊技球（打球；遊技媒体）を発射して遊技を行うようになっている。
【００２８】
遊技盤本体１ｂの前面側には、第１遊技領域１ａを区画する遊技領域区画壁９を備える遊技領域区画部材８，８，…が取り付けられている。この遊技領域区画部材８，８，…は所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は不透明な材質からなり、第１遊技領域１ａ以外から遊技機１００の内部が見えないようになっている。
【００２９】
さらに、遊技盤本体１ｂの四隅に配された遊技領域区画部材８，８，…には、遊技盤１を前面枠本体１３０に形成された開口部に対して着脱可能とする係合凹部８ｂ、固定凹部８ｃが形成されている。前面側から見て左側の上下にある遊技領域区画部材８，８には、前面枠本体１３０に設けられた係合部材１３２，１３２が係合可能な係合凹部８ｂが形成され、遊技盤１の前面側から見て右側の上下にある遊技領域区画部材８，８には、前面枠本体１３０に設けられた固定部が係合可能な固定凹部８ｃが形成されている。そして、前面枠本体１３０に形成された開口部に対して、前面側から係合凹部８ｂ，８ｂを係合部材１３２，１３２に係合させ、この係合部分を軸として他端部を後方に回動させて開口部に収容し、固定凹部８ｃ，８ｃに固定部１３３，１３３を係合させることで遊技盤１が前面枠本体１３０に固定されるようになっている。
【００３０】
遊技盤１を構成する遊技盤本体１ｂの前面側に形成された第１遊技領域１ａ内には、遊技盤１の装飾や遊技球を流下案内する遊技装置として、普図始動ゲート６、始動入賞口１０および普通変動入賞装置３、特別変動入賞装置４が設けられている。さらに遊技装置として、一般入賞口形成部材１４，１４に設けられた一般入賞口２，２、風車と呼ばれる打球方向変換部材１１，１１、多数の障害釘（図示略）、流下方向規制装置７、入賞口などに入賞しなかった遊技球を回収するアウト口５、ランプ・ＬＥＤなどの遊技盤装飾装置などが設けられている。また、遊技盤本体１ｂの裏面側には、遊技球が流下可能な後述する第２遊技領域２０が設けられ、第１遊技領域１ａには遊技装置として、この第２遊技領域２０への導入口をなすワープ入口１２，１２、第２遊技領域２０からの導出口１３が設けられている。
【００３１】
普図始動ゲート６は遊技球が上下に通過可能なゲートであり、その内部には遊技球の通過を検出するゲートセンサ６ａ（図４に図示）が設けられている。そして、該ゲートセンサ６ａで遊技球が検出されることに基づき普図変動表示ゲームの始動条件が成立するようになっている。また、普図変動表示ゲームは、遊技盤１の前面側に設けられた図示しない普図変動表示器にて表示されるようになっている。さらに、遊技盤１の前面側には、未処理となっている第１普図変動表示ゲームの回数をＬＥＤの点滅で表示する図示しない普図始動記憶表示器が設けられている。
【００３２】
始動入賞口１０および普通変動入賞装置３は第１遊技領域１ａの下部にあって、その内部には遊技球の流入を検出する始動口センサが設けられている。この始動入賞口１０および普通変動入賞装置３は、特図始動入賞口であって、始動口センサで遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００３３】
普通変動入賞装置３は左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動
入賞装置３に遊技球が流入し易い状態（遊技者にとって有利な状態）に変化されるようになっている。これにより、特図変動表示ゲームの始動が容易となる。
【００３４】
また、特図変動表示ゲームは、第１遊技領域１ａ内に設けられた特図変動表示器で実行されるが、ここで実行される特図変動表示ゲームに対応する表示ゲームが後述する表示ユニット１７０の画像表示面１７１に表示されるようになっている。この特図変動表示ゲームに対応した表示ゲームの表示領域は、遊技盤本体１ｂの裏面側に配された表示領域区画壁６４，９２、上部役物装置２５によって区画された領域であって、透明な材質からなる遊技盤本体１ｂを通して、その裏面側に配された表示ユニット１７０の画像表示面１７１を視認可能な領域となっている。なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００３５】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、ソレノイド（大入賞口ＳＯＬ）により駆動される。また、大入賞口の内部（入賞領域）には、該大入賞口に入った遊技球を検出するための大入賞口用センサ（カウントセンサ）が配設されている。
【００３６】
一般入賞口形成部材１４，１４は、第１遊技領域１ａの下部に位置する遊技領域区画壁９に沿って配されており、前面側には一般入賞口２，２が形成されている。また、この一般入賞口２，２には、一般入賞口２，２に入った遊技球を検出するための一般入賞口センサが配設されている。また、一般入賞口形成部材１４，１４は、遊技に関連した装飾が施されて一部が光を透過可能に構成されているとともにＬＥＤなどを備えており、遊技盤１の装飾を行う遊技盤装飾装置の一部をなしている。
【００３７】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が排出発射制御装置３４（排出発射制御基板）の制御により排出装置１９０によって上皿１５３に排出される（払い出される）ようになっている。
【００３８】
また、流下方向規制装置７は、第１遊技領域１ａとなる遊技盤本体１ｂの前面に突出するように取り付けられている。この流下方向規制装置７は透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００３９】
この流下方向規制装置７の鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００４０】
また、鎧部７ａの端部に連続した案内部７ｂ，７ｂは、第１遊技領域１ａの中央部分に対して左右に配されて下方に向かって延在するようになっている。この案内部７ｂ，７ｂは、鎧部７ａで左右に振り分けられた遊技球が中央部分へ戻らないように下方へ案内するものである。また、この案内部７ｂ，７ｂの下端部にはワープ流路への入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、前後に貫通したワープ孔が形成され、ワープ入口１２，１２から流入した遊技球を、遊技盤本体１ｂの裏面側に形成された後述する第２遊技領域２０へ誘導可能とされている。
【００４１】
また、第１遊技領域１ａにおける始動入賞口１０の上側には、後述する第２遊技領域２０からの導出口１３が形成されている。この導出口１３は、遊技盤本体１ｂに形成された前後に貫通した導出孔に導出口形成部材２３を取り付けることで構成されている。この導出口形成部材２３は、遊技盤本体１ｂと略同じ厚みを有し、導出孔に嵌め込まれる部分に導出口１３を形成する筒状の開口２３ａが形成されている。この筒状の開口２３ａの内周面における下側の面（導出口１３の底面）は、後方に配される後述するステージ部材２１の形状に合わせた曲面とされているとともに前側に傾斜するようにされており、ステージから前側に誘導された遊技球を第１遊技領域１ａに誘導可能とされている。また、この曲面とされた遊技球が転動する下側の面の下方には、ステージの下方に前後方向に沿って延在するように形成された球誘導路２２の下流側端部が形成されている。導出口形成部材の前端部に位置する球誘導路２２の下流側端部は、始動入賞口１０の直上に位置するようになっており、ここを流下した遊技球は高い確率で始動入賞口１０に流入するようになっている。
【００４２】
図４に示すように、遊技盤１を構成する遊技盤本体１ｂの裏面側には、遊技盤裏面構成部材８０が取り付けられている。この遊技盤裏面構成部材８０は、上部カバー部材８１、下部カバー部材８２、側部カバー部材８４とから遊技盤本体１ｂの周囲に沿う矩形状に形成され、不透明又は半透明とされた合成樹脂（例えば、ポリカーボネートやＡＢＳ）からなる。この遊技盤裏面構成部材８０の略中央部には、遊技盤本体１ｂに形成された第１遊技領域１ａの大部分と重なるように略矩形状の視認開口８７が形成されている。
【００４３】
上部カバー部材８１は、遊技盤本体１ｂの裏面における上側部分を覆う板状の部材で、左右及び上側の周縁が遊技盤本体１ｂの上側部分における外周に沿うような形状をしている。また、下側の周縁は、遊技盤本体１ｂの前面側に形成された第１遊技領域１ａの周縁をなす遊技領域区画壁９に略沿うように湾曲した形状とされている。この上部カバー部材８１の裏面側には上部役物装置２５が取り付けられている。すなわち、上部カバー部材８１は上部役物装置２５の取り付けベースをなす。
【００４４】
上部役物装置２５はその大部分が、上部カバー部材８１の下側の周縁よりも下側に配されるようになっていて、その前面は遊技盤１の前面側から遊技盤本体１ｂを透して視認可能となっており、この前面には、例えば機種名や装飾図柄などが描かれ、装飾が施された装飾板が配されている。
【００４５】
この上部役物装置２５は、内部に演出部材と、この演出部材を駆動する駆動装置が設けられており、遊技の進行に合わせて演出部材を視認開口８７に現出させることで、遊技の演出を行うものである。すなわち演出部材は、通常時は上部役物装置２５の内部に収納された状態となっていて、遊技者からは見えないように機種名などが描かれた装飾板により隠蔽されており、この状態から駆動装置により駆動されて視認開口８７に現出し、遊技者から視認可能となることで演出を行うようになっている。また、この上部役物装置２５は遊技盤装飾装置の一部をなすものであって、第１演出制御装置３３が第２演出制御装置３１を介して制御するようになっている。また、上部役物装置２５は所定の前後幅を有し、遊技盤１と表示ユニット１７０の間の上部の隙間から遊技機１００の内部が見えないようにする機能も有する。
【００４６】
下部カバー部材８２は、遊技盤本体１ｂの裏面における下側部分を覆う板状の部材で、左右及び下側の周縁が遊技盤本体１ｂの下側部分における外周に沿うような形状をしている。また、上側の周縁は第１遊技領域１ａに設けられた役物装置（普通変動入賞装置３、特別変動入賞装置４、一般入賞口形成部材１４，１４）の後部を覆うことができるように、役物装置の配設部位における上縁部に沿う形状とされている。この下部カバー部材８２の裏面側には、役物装置の後部を覆う下部覆い部材６０が取り付けられるようになっている。すなわち、下部カバー部材８２は下部覆い部材６０の取り付けベースをなす。
【００４７】
下部覆い部材６０はその前面側に、始動入賞口１０、普通変動入賞装置３、特別変動入賞装置４、一般入賞口２，２などに入賞した遊技球を流下させる入賞球流路を備える。この入賞球流路は、遊技機１００の外部（島設備の回収樋）に連通する図示しない流路に接続するようになっている。また、この下部覆い部材６０の裏面側から見て左側の端部は、上下方向に沿って延在する回動軸を備える連結部６２が形成されており、第２演出制御装置３１が左右方向に扉状に回動可能に軸支されるようになっている。
【００４８】
また、下部覆い部材６０は透明な材質からなり、一部がレンズのように加工されていて、裏面側に配されたＬＥＤ基板（図示略）に備えられたＬＥＤからの光を役物装置に向けて誘導する機能も有する。さらに、下部覆い部材６０の上部には着色されて半透明とされた板状の表示領域区画壁６４が形成されており、表示領域を区画するとともに、遊技機１００の内部が見えないようにしている。なお、表示領域区画壁６４の形状は、下部覆い部材６０の前面に配された部材に対応した形状（一部が曲面）とされている。また、表示領域区画壁６４の下側には、ＬＥＤ基板６３が表示領域区画壁６４と平行になるように水平に配設されている。そして、このＬＥＤ基板６３の上面に配されたＬＥＤにより表示領域区画壁６４を下側から照らすことで、その光が半透明の表示領域区画壁６４を介して遊技領域を装飾するようになっている。また、下部覆い部材６０の裏面には、配線を中継するための中継基板が備えられている。また、下部覆い部材６０の裏面側には第２演出制御装置３１が取り付けられ、該第２演出制御装置３１の裏面側には遊技制御装置３０が取り付けられている。
【００４９】
第２演出制御装置３１は、画像データなどを記憶したＲＯＭを備える演出データ基板と、遊技盤装飾装置を駆動するための盤装飾ドライバを備えたドライバ基板を備え、遊技制御装置３０の制御の下で演出の制御を行うものである。この第２演出制御装置３１の裏面側には、第１演出制御装置３３のコネクタ部３３ａと直接接続するためのコネクタ部（図示略）が露出している。また、第２演出制御装置３１の裏面側には、左右方向に沿って延在する回動軸を備える一対の支持部３１ａ，３１ａが形成されており、遊技制御装置３０を上下方向に扉状に回動可能に軸支するようになっている。また、遊技を制御する遊技制御装置３０を軸支する支持部３１ａ，３１ａの近傍には、遊技制御装置３０が第１演出制御装置３３の裏面に沿って配された状態、すなわち遊技制御装置３０が起立した状態を保持する保持部材（図示略）が設けられている。すなわち、第２演出制御装置３１の裏面は遊技制御装置３０を取り付けるための台座をなす。
【００５０】
すなわち、機種に依存する演出データ基板を備えた第２演出制御装置３１、遊技制御装置３０は遊技盤１に取り付けられ、複数の機種で共通使用可能な第１演出制御装置３３、排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５１】
側部カバー部材８４は、遊技盤本体１ｂの左右それぞれの側端に沿って取り付けられており、上端部が上部カバー部材８１の下端に接して連続するように配されるとともに、下端部が下部カバー部材８２の上端部に接して連続するように配される。さらに、側部カバー部材８４と一体に表示領域区画壁９２を備える側壁部材９０が取り付けられている。
【００５２】
側壁部材９０は、表示領域を区画する表示領域区画壁９２を備え、該表示領域区画壁９２が遊技盤本体１ｂに対して上下方向に延在するとともに後方へ延出するような向きで配される。なお、左右の表示領域区画壁９２は遊技盤本体１ｂに対して略垂直に配されるが、より詳細には、後方へ向かって間隔が狭くなるように若干斜めに配されるようになっている。
【００５３】
この表示領域区画壁９２は、表示領域区画壁９２を通して遊技機１００の内部が透けて見えない程度の半透明とされており、表示領域区画壁９２の外側を前方から隠蔽するように構成されている。また、表示領域区画壁９２の遊技盤本体１ｂの側端側に配される面には波状の凹凸が形成されており、さらに、表示領域区画壁９２の遊技盤本体１ｂの中央側に配される面には、不透明な装飾用のシールが貼付されるようになっており、表示領域区画壁９２を透して遊技機１００の内部が見えないようになっている。
【００５４】
以上のような構成を有する上部役物装置２５、表示領域区画壁９２，６４によって、遊技盤本体１ｂの裏面側に前後方向に沿った筒状の空間が形成される。この表示領域区画壁９２，６４および上部役物装置２５は、遊技盤１の後方に配される後述する表示ユニット１７０の画像表示面１７１に近接するように配され（当接はしない）、特図変動表示ゲームに対応した表示ゲームなどの表示領域を区画するようになっている。すなわち、表示ユニット１７０の画像表示面１７１のうち、表示領域区画壁９２，６４および上部役物装置２５で囲まれた領域が遊技盤１の前面側から視認可能な表示領域（視認領域）となる。これによって、第１遊技領域１ａの大部分に表示ユニット１７０の画像が表示されることとなる。また後述するように、この遊技盤本体１ｂの裏面側における表示領域区画壁９２，６４および上部役物装置２５で囲まれた領域の一部が、遊技球が流下可能な第２遊技領域２０とされている。
【００５５】
なお、画像表示面１７１の面積は、遊技盤裏面構成部材８０に形成された視認開口８７よりも広いので、視認開口８７から露出する領域に所定の画像が表示されるように第１演出制御装置３３によって制御されている。また、上述したように、表示領域区画壁９２，６４と上部役物装置２５は、遊技機１００の内部が見えないようにする機能も有しており、これらで囲まれた視認開口８７の外周部分となる領域は遊技盤１の前面側からは見えないようになっている。
【００５６】
また、上部カバー部材８１、下部カバー部材８２の裏面には、遊技盤本体１ｂの左右端部に沿って配される周縁の近傍に後方へ突出する押圧部８３，８３，…が形成されている。この押圧部８３，８３，…は、遊技盤１の裏面側に配される表示ユニット１７０の前面（表示ユニット１７０の外枠をなす表示ユニットケース１７４の前面）に、その後端部が当接するようになっている。表示ユニット１７０は、後述するように付勢部材としての圧縮コイルばね１８２によって前側に付勢されているので、押圧部８３，８３，…と表示ユニット１７０は密着した状態で保持されるようになっている。
【００５７】
また、押圧部８３，８３，…は、所定の前後幅を有しており、押圧部８３，８３，…が表示ユニット１７０の前面に当接することで、遊技盤１と表示ユニット１７０は所定の間隔をおいて平行に配され、両者の間に空間部が形成されるようになっている。なお、押圧部８３，８３，…の前後幅は、上述した表示領域区画壁９２の前後幅よりも若干広くされており、押圧部８３，８３，…が表示ユニット１７０の前面に当接することで、表示領域区画壁９２が画像表示面１７１に近接した位置に配されるようになっている。
【００５８】
このように、遊技盤１に対して表示ユニット１７０が所定の間隔をおいて遊技機１００の奥側に配されるので、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【００５９】
また、押圧部８３，８３，…は上部カバー部材８１の裏面、下部カバー部材８２の裏面に形成された基部８３ａと、基部８３ａの後端部にねじによって取り付けられた摩擦係数が低い材質（例えば、ポリアセタール、金属）からなる押圧部材８３ｂとを有している。さらに、上部カバー部材８１、下部カバー部材８２の裏面側から見て右側に位置する押圧部８３，８３の基部８３ａには、押圧部材８３ｂに加え、上下方向に沿った軸を中心に回動可能なローラ８３ｃが、外側に位置する角部に取り付け可能とされている。
【００６０】
表示ユニット１７０の前面に当接する押圧部８３，８３，…がこのような構成を有することで、押圧部８３，８３，…が表示ユニット１７０の前面に当接し、押圧した状態で、容易に適切な位置に移動することができるようになっている。
【００６１】
また、遊技盤本体１ｂの裏面側における表示領域区画壁９２，６４および上部役物装置２５で囲まれた領域内には、遊技装置としてのステージ部材２１が配されている。このステージ部材２１は透光性を有する材質からなる板状の部材であって、左右の端部は表示領域区画壁９２に一部が支持されるとともに近接して配され、後端部は表示領域区画壁９２の後端部と等しい前後位置に配されている。すなわち、このステージ部材２１によって、表示領域区画壁９２，６４および上部役物装置２５によって形成された前後方向に沿った筒状の空間が上下に区画されるようになっている。そして、遊技盤１の裏面側に表示ユニット１７０が配されることで、表示ユニット１７０と表示領域区画壁９２、ステージ部材２１および上部役物装置２５によって囲まれた空間である第２遊技領域２０が遊技盤本体１ｂの裏面側に形成される。このように形成される第２遊技領域２０へは、案内部７ｂ，７ｂに形成されたワープ入口１２，１２に流入した遊技球が誘導されるようになっている。
【００６２】
遊技盤本体１ｂの裏面におけるワープ入口１２，１２と対応する位置には、遊技装置としての遊技球流路形成部材をなすワープ流路形成部材２４，２４が配されている。このワープ流路形成部材２４，２４は透光性を有する材質からなる部材で、ワープ入口１２，１２に流入してワープ孔を通って遊技盤本体１ｂの裏面に至った遊技球を、ステージ部材２１の上面に形成されたステージ２１ａ上に誘導するワープ流路が内部に形成されている。このワープ流路は、遊技球を一列で流下可能な筒状の流路であって、その入口となる上流側端部は遊技盤本体１ｂに形成されたワープ孔に接続しており、ここから遊技盤本体１ｂの裏面に沿って遊技盤本体１ｂの側端方向へ屈曲し、出口となる下流側端部はステージ２１ａの側端部の上方に近接した位置に配されるようになっている。これによって、第１遊技領域１ａに開口したワープ入口１２に流入した遊技球は、ワープ流路を通って第２遊技領域２０におけるステージ部材２１の上面に形成されたステージ２１ａ上を遊技盤１の外側に向かって流下するように誘導されることとなる。このように、ワープ流路からステージの側端方向へ遊技球が排出されるので、ステージ２１ａの端から端まで有効に利用できるようになり、ステージ２１ａ上に一度に多数の遊技球を転動させることが可能となる。
【００６３】
ステージ部材２１は、左右両側が中央に向かって下る傾斜面となっているとともに、中央部が上向きに突出した略Ｗ字状に形成されている。そして、このステージ部材２１の上面が、遊技球が転動するステージ２１ａとされ、遊技球が略Ｗ字状の傾斜に沿って左右に転動するようになっている。また、このステージ部材２１の中央部は、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００６４】
また、ステージ２１ａの左右方向の中央であって、遊技球が転動する面の下側には、遊技球が流下可能な流路である球誘導路２２の後方部分が形成されている。この球誘導路２２は、前後方向に沿って延在するように形成された遊技球が一個流下可能な内径を有する筒状の流路で、前側に向かって下るように傾斜している。この球誘導路２２の上流側端部はステージ２１ａに開口しており、下流側端部は上述したように、導出口形成部材２３の前端部に開口している。
【００６５】
図２，３、５から１０に示すように、裏機構枠１６０は、裏機構枠本体１６１と、画像を表示する画像表示装置としての表示ユニット１７０を案内するとともに前方向への移動を規制する移動規制部材１６２とを有し、表示ユニット１７０の他、表示ユニット１７０を制御する第１演出制御装置３３、賞球などを排出する排出装置１９０と排出装置１９０に遊技球を供給する球貯留タンク４０が設けられている。
【００６６】
上述したように、裏機構枠１６０の前から見て左側の端部は、前面枠本体１３０の裏面であって遊技機１００の裏面側から見て右側の側部に回動可能に軸支されており、前面枠本体１３０に形成されて遊技盤１が嵌め込まれる開口部１３１を裏面側から覆って遊技盤１の裏面に臨む状態から、後方に扉状に回動して遊技盤１の裏面側を開放する状態との間で回動可能となっている。すなわち、裏機構枠１６０に表示ユニット１７０が配設されることで、表示ユニット１７０は該裏機構枠１６０を介して前面枠１２０側に配設された状態で遊技盤１の後方位置に配設されることとなる。そして、裏機構枠本体１６１において遊技盤１と平行に配され、遊技盤１の裏面側を覆うように配される部分が後方壁１６１ａとなる。
【００６７】
図３，６に示すように、裏機構枠本体１６１は所定の厚みを有し、この裏機構枠本体１６１の前後面に種々の機構体が取り付けられている。裏機構枠本体１６１の前面には、表示ユニット１７０を前側に付勢する付勢部材としての圧縮コイルばね１８２を収納する後側が閉鎖された筒状の付勢部材収納部１８１が形成されている。また、裏機構枠本体１６１の後方壁１６１ａの背面には、第１演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００６８】
図２，５，６に示すように、裏機構枠１６０の前面側は、全体が前側に開口した凹部となっており、ここに表示ユニット１７０が収容されている。
図６に示すように、裏機構枠本体１６１の前面であって上部には、左右の周囲壁１８７に隣接して、所定の左右幅を有する下側に開口した溝状の凹部１６９ａ，１６９ａが形成されている。この所定の左右幅とは、後述する表示ユニット１７０の上部に形成された被案内部１７６の左右幅より若干広い幅であり、この部分が被案内部１７６を前後方向に案内する案内部１６９の一部をなす。
【００６９】
また、上述した溝状の凹部１６９ａ，１６９ａと上下に対向するように、裏機構枠本体１６１の前面であって下部には、左右の周囲壁１８７に隣接して、所定の左右幅を有する上側に開口した溝状の凹部１６９ａ，１６９ａが形成されている。この溝状の凹部１６９ａ，１６９ａの所定の左右幅は、後述する表示ユニット１７０の下部に形成された被案内部１７６の左右幅より若干広い幅であり、この部分も被案内部１７６を前後方向に案内する案内部１６９の一部をなす。
【００７０】
付勢部材収納部１８１は、表示ユニット１７０を前方向へ付勢する付勢部材としての圧縮コイルばね１８２を収容する部分である。この付勢部材収納部１８１は、圧縮コイルばね１８２の外径と略同じ内径を有する円筒形の凹部で、裏機構枠本体１６１の左右方向の中心に沿って上下に２つ設けられている。
【００７１】
また、この裏機構枠本体１６１の前側には、それぞれコ字状の移動規制部材１６２，１６２が左右の側面を前側に延長するように取り付けられている。裏機構枠１６０の前面側から見て左側に設けられた移動規制部材１６２には、上下に軸受け部１６２ａ，１６２ａが形成されており、前面枠本体１３０の裏面側に設けられた上下方向に延在する回動軸（図示略）を軸受け部１６２ａ，１６２ａに回動可能に嵌合することで、裏機構枠１６０が前面枠本体１３０に対して回動可能に軸支されるようになっている。また、裏機構枠１６０の前面側から見て右側に設けられた移動規制部材１６２には、上下にねじ穴１６２ｄ，１６２ｄが形成されており、裏機構枠１６０を遊技盤１の裏面に配した状態（裏機構枠１６０を閉じた状態）で、ねじ穴１６２ｄ，１６２ｄにねじを挿通し、前面枠本体１３０に形成された図示しないねじ止め部に螺合することで裏機構枠１６０が固定されるようになっている。
【００７２】
そして、後方壁１６１ａおよび周囲壁１８７、移動規制部材１６２，１６２によって、所定の奥行きを有するとともに前面側（遊技盤１の裏面に臨む側）に開口した略矩形凹室形状の空間（少なくとも背面と左右側面とを囲まれた空間）が形成され、この空間が表示ユニット１７０を収納する表示ユニット収納部１６８となる。すなわち、移動規制部材１６２，１６２は裏機構枠本体１６１における後方壁１６１ａの左右端部の各々に設けられ、周囲壁１８７とともに表示ユニット収納部１６８の側面部をなす。
【００７３】
このような移動規制部材１６２，１６２は、左右の周囲壁１８７，１８７から裏機構枠本体１６１の中央側へ向かう所定範囲と、裏機構枠本体１６１の前面側における左右端部の上下に形成された溝状の凹部１６９ａ，１６９ａ，…の前側を覆うように取り付けられる。そして、裏機構枠本体１６１の上下に形成された溝状の凹部１６９ａ，１６９ａ，…と対向するように配される部分には、裏機構枠本体１６１に形成された溝状の凹部１６９ａ，１６９ａ，…と同じ形状をした溝状の凹部（図示略）が形成されている。
【００７４】
そして、移動規制部材１６２，１６２を裏機構枠本体１６１に取り付けることによって、溝状の凹部が裏機構枠本体１６１の上下に形成された溝状の凹部１６９ａ，１６９ａ，…と連続する。これにより、上下にそれぞれ対向するように、移動規制部材１６２，１６２から裏機構枠本体１６１にかけて前後方向に沿って延在する溝状の凹部である案内部１６９が形成される。すなわち、裏機構枠本体１６１とその前側に配された移動規制部材１６２，１６２により形成される表示ユニット収納部１６８における上下の内側面の左右に、表示ユニット１７０の上下の側部にそれぞれ設けられるとともに前記上下の側部の左端部及び右端部の合わせて４カ所から外側（上側もしくは下側）に突出する後述の被案内部１７６，１７６，…を前後に移動自在に案内する概略溝状の案内部１６９，１６９，…が設けられることとなる。
【００７５】
また、この溝状の案内部１６９，１６９，…のうち、裏機構枠１６０の下側に形成された案内部１６９，１６９には、底面を形成する矩形板状のレール部材１６７が配されている。このレール部材１６７の表面は摩擦係数が低い材質（例えば、ポリアセタール、金属）からなり、案内部１６９の前後左右幅に等しい前後左右幅を有する。また、レール部材１６７は所定の厚みを有し、表示ユニット１７０の荷重がかかっても撓まない程度の強度を有する。
【００７６】
また、レール部材１６７の前後の端部には切欠き状の係合部１６７ａ，１６７ａが形成されており、下側の案内部１６９，１６９を形成する裏機構枠本体１６１の溝状の凹部１６９ａ，１６９ａにおける前後端部に形成された支持部に係合、支持されるようになっている。これにより、レール部材１６７は裏機構枠本体１６１と移動規制部材１６２とに掛け渡され、案内部１６９の底面をなすように水平に固定されるようになっている。このレール部材１６７によって、裏機構枠本体１６１と移動規制部材１６２によって形成される案内部１６９の底面に段差が生じることがなく、さらには、摩擦係数が低い材質からなることから、表示ユニット１７０を滑らかに移動させることが可能となる。
【００７７】
以上のように形成される表示ユニット収納部１６８には、画像表示面１７１が前側（開口した側）となるように表示ユニット１７０が配設されており、図２に示すように裏機構枠１６０を遊技盤１の裏面に臨むように配することで、遊技盤１の裏面側に表示ユニット１７０の画像表示面１７１が臨むようになっている。また、このとき、遊技盤１の裏面上部に配された上部役物装置２５の一部が、この表示ユニット収納部１６８に収納されることとなる。すなわち、表示ユニット収納部１６８は、遊技盤１の後方の遊技装置を収納する遊技装置配置空間１８８をなす。
【００７８】
表示ユニット１７０は、前面側が開口した矩形箱状（額縁状）に形成された金属製の表示ユニットケース１７４と、この矩形箱状の表示ユニットケース１７４に収容された液晶表示パネル１７５（液晶表示器、バックライトを含む）とを有する。そして、表示ユニットケース１７４の前面側から液晶表示パネル１７５の画像表示面１７１を有する前面が露出している。
【００７９】
表示ユニットケース１７４の上下の側部であって、左端部及び右端部の合わせて４ヶ所からは、側部に対して垂直に外側に突出する被案内部１７６，１７６，…が設けられている。この被案内部１７６は、摩擦係数が低い材質（例えば、ポリアセタール、金属）からなる被案内部材１７２を、表示ユニットケース１７４の上下部（上下面の左右両端）に固定することで形成されている。また、表示ユニット１７０の下面に設けられた被案内部１７６，１７６は、その下部に滑動体として左右方向に沿った回転軸を有するローラを備えている。
【００８０】
そして、表示ユニット収納部１６８には、この被案内部１７６，１７６，…と対応する位置に前後に延在する溝状の案内部１６９，１６９，…が形成されており、表示ユニット１７０が表示ユニット収納部１６８内において前後動自在に配されることとなる。ここで、被案内部１７６，１７６，…は摩擦係数の低い材質からなり、案内部１６９，１６９，…との間の摩擦抵抗が軽減されるようになっている。また、表示ユニット１７０の下面に設けられた被案内部１７６，１７６は、その下部に滑動体として左右方向に沿った回転軸を有するローラを備えており、さらに、このローラが接する下側の案内部１６９，１６９の底面にはレール部材１６７が配設されている。よって、案内部１６９，１６９，…に対して摩擦係数が低い材質からなる被案内部１７６，１７６，…もしくは回転可能なローラが当接することとなり、さらに、ローラは平滑なレール部材１６７上を移動することから、被案内部と案内部１６９，１６９，…との間の摩擦抵抗が軽減され、表示ユニット１７０が表示ユニット収納部１６８内で円滑に前後移動可能となる。すなわち、表示ユニット収納部１６８は、表示ユニット１７０をスライド可能なスライド空間をなす。
【００８１】
表示ユニットケース１７４の裏面には、表示ユニットケース１７４に収納される液晶表示パネル１７５と、裏機構枠１６０の裏面側に配される第１演出制御装置３３とを接続する配線を通すための、前後に貫通した図示しない配線用開口が形成されている。この配線用開口は、液晶表示パネル１７５の裏面側に設けられたコネクタ部の位置に対応して形成されており、液晶表示パネル１７５を表示ユニットケース１７４に収納すると、この配線用開口からコネクタ部が露出するようになっている。なお、この配線用開口が形成された位置は、表示ユニット１７０を表示ユニット収納部１６８に収納した際に、後方壁１６１ａに形成された第１演出制御装置配設部１６５に対応する位置となっており、第１演出制御装置配設部１６５にもこれに対応して配線を挿通する配線用開口１６５ａが形成されている。
【００８２】
また、表示ユニットケース１７４の裏面には、付勢部材としての圧縮コイルばね１８２を取り付けるための取付部（図示略）が形成されている。このガイド部が形成された位置は、表示ユニット１７０を裏機構枠１６０に配した際に、裏機構枠本体１６１に形成された付勢部材収納部１８１と対向する位置となっている。そして、図６に示すように、表示ユニット１７０と裏機構枠本体１６１の間に配される圧縮コイルばね１８２は、一端が裏機構枠本体１６１に形成された付勢部材収納部１８１に収納され、他端が表示ユニット１７０の後方に形成されたガイド部に接続するように配されている。
【００８３】
ここで、付勢部材収納部１８１，１８１、ガイド部は上下に並んで二つ設けられているが、本実施形態においては、圧縮コイルばね１８２を上側の付勢部材収納部１８１、ガイド部にのみ取り付けるようにしている。なお、圧縮コイルばね１８２を下側の付勢部材収納部１８１、ガイド部にのみ取り付けるようにしても良いし、上下両方の付勢部材収納部１８１，１８１、ガイド部に取り付けるようにしても良い。
【００８４】
液晶表示パネル１７５は、矩形板状であって表示ユニットケース１７４にちょうど収まる大きさとなっている。この液晶表示パネル１７５は、液晶表示器とバックライトなどから構成され、液晶表示器の画像表示面１７１が、前側に臨むように配されている。
【００８５】
液晶表示器の画像表示面１７１の面積は、前面枠本体１３０に形成された開口部１３１に嵌め込まれた遊技盤１の大部分を裏面側から覆うことができる面積となっており、上述した遊技盤裏面構成部材８０に形成された、遊技盤本体１ｂを透して後方を視認可能な視認開口８７（図４に図示）よりも広いものである。すなわち、画像表示面１７１の面積が、少なくとも遊技盤裏面構成部材８０に形成された視認開口８７よりも広く、遊技盤裏面構成部材８０に形成された視認開口８７の大きさが変化してもそれに対応できるようになっている。このように、液晶表示器の画像表示面１７１が遊技盤１の裏面側を幅広く覆うようにすることで、遊技盤１を交換して遊技機１００の遊技内容を変更する場合に、多種の遊技盤１に対応できるようになっている。
【００８６】
また、液晶表示器は、画像表示面１７１の面積が遊技盤裏面構成部材８０に形成された視認開口８７よりも広いので、遊技盤裏面構成部材８０に形成された視認開口８７から露出する領域に所定の画像が表示されるように第１演出制御装置３３によって制御されている。この画像表示領域を決定する遊技盤１の遊技盤裏面構成部材８０に形成された視認開口８７の大きさや位置に関する初期情報や、変動表示ゲームの画像に関する情報は第２演出制御装置３１の演出データ基板に記憶されているが、第２演出制御装置３１は遊技盤１に取り付けられており、遊技盤１と一緒に第２演出制御装置３１も交換される。よって、遊技盤１の交換に伴い、例えば、これまでの遊技盤に対応した画像表示領域から、新たな遊技盤１に対応した画像表示領域に変更できるようになっている。
【００８７】
また、表示ユニット収納部１６８の上下幅および左右幅は、表示ユニット１７０の上下幅および左右幅よりも大きくなっており、表示ユニット１７０の周囲に空間があいた状態とされる。これによって、表示ユニット１７０の前後方向への移動が容易になるとともに、表示ユニット１７０が表示ユニット収納部１６８内で僅かに傾斜した状態（遊技盤１の左右方向と非平行状態）になることも可能となる。なお、溝状の凹部となった案内部１６９，１６９，…内に被案内部１７６，１７６，…が収納された状態となっているので、表示ユニット１７０が非平行状態になっても被案内部１７６，１７６，…が案内部１６９，１６９，…から脱落することがない。
【００８８】
また、表示ユニット１７０は、圧縮コイルばね１８２により前方側に向かって付勢された状態となっており、裏機構枠１６０を開放した状態あるいは、遊技盤１を前面枠１２０から取り外した状態では、前後の移動範囲の最も前側の位置に配される。
【００８９】
なお、遊技盤１が装着されて裏機構枠１６０を閉じた状態においては、遊技盤裏面構成部材８０の裏面に設けられて後方に突出する押圧部８３，８３，…が、表示ユニット１７０の前後方向の移動範囲における最も前側の位置より後方に位置するようになっている。よって、押圧部８３の後端部にある押圧部材８３ｂが表示ユニット１７０の前面に密着し、表示ユニット１７０は遊技盤裏面構成部材８０の裏面から押圧部８３，８３，…の突出幅の分だけ後方側へ隔離した位置に配されるようになっている。以上のような構成によって、液晶表示器を備えた表示ユニット１７０は、裏機構枠１６０に前後移動可能に保持されることとなる。
【００９０】
以上のことから、遊技盤前面の所要領域において遊技に関わるゲームを表示するようにし、裏機構枠１６０は、遊技盤１の後方の遊技装置配置空間１８８に、表示ゲームを実行する表示ユニット１７０を前後方向にスライド可能に支持するようにしたこととなる。
【００９１】
なお、遊技盤１は、前面枠１２０に対して前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなり、この際に表示ユニット１７０が後方へ押圧される。また、本実施形態のように遊技盤１を前側から取り付ける構成であっても、メンテナンス等の場合に裏機構枠１６０を開放した場合は、再び裏機構枠１６０を閉鎖する際に表示ユニット１７０が後方へ押圧される。
【００９２】
また、裏機構枠１６０を開閉可能としたが、遊技盤１を前側から取り付ける構成の場合は、開閉できない裏機構枠１６０であっても良い。また、裏機構枠１６０を別途設けずに、前面枠本体１３０の裏面側に表示ユニット１７０を前後動可能に配するようにしても良い。
【００９３】
また、遊技盤１は透明な合成樹脂からなるとしたが、少なくとも視認開口８７が設定される部分が透明であれば良く、遊技盤１の全てが透明であっても良いし、一部が透明であっても良い。
【００９４】
また、遊技盤１は、透明な合成樹脂で形成して遊技盤１を透かして後方の表示ユニット１７０の画像を視認できるように構成してもよいし、遊技盤１に開口部を形成して該開口部から後方の表示ユニット１７０の画像を視認できるように構成してもよい。このように遊技盤に開口部を形成する場合は、遊技盤は透明な合成樹脂製のものに限られず、木製などでもよい。なお、遊技盤を透明な合成樹脂で構成した場合は遊技盤１（表面）の全体或いは一部が表示領域を構成し、遊技盤１に開口部を形成した場合には開口部が表示領域を構成する。
【００９５】
図３に示すように、裏機構枠１６０の後方壁１６１ａの背面（裏面）には、前方に窪んで後方に開口した略矩形状の凹部である第１演出制御装置配設部１６５が形成され、ここに第１演出制御装置３３が配設されている。この第１演出制御装置３３はＣＰＵなどを備えた演出制御基板を有し、画像表示装置をなす表示ユニット１７０における液晶表示器の表示を制御する表示制御装置をなすものである。
【００９６】
また、第１演出制御装置３３の上下幅は、第１演出制御装置配設部１６５の上下幅よりも広く、第１演出制御装置配設部１６５に第１演出制御装置３３を収容すると、第１演出制御装置３３の下部が第１演出制御装置配設部１６５の下方に形成された開口部１６３に延出するようになっている。そして、図６に示すように、第１演出制御装置３３の前面側であって開口部１６３に延出する部分からはコネクタ部３３ａが外側に露出している。
【００９７】
図４に示すように、遊技盤１の裏面には第２演出制御装置３１が取り付けられており、この第２演出制御装置３１の裏面にはコネクタ部が外部に露出している。そして、この第２演出制御装置３１のコネクタ部と第１演出制御装置３３のコネクタ部３３ａは、互いに対向するように配され、第２演出制御装置３１と第１演出制御装置３３が直接接続できるようになっている。
【００９８】
また、図３に示すように、後方壁１６１ａの背面であって、裏機構枠１６０の裏面側から見て、第１演出制御装置配設部１６５の右側には、第１演出制御装置３３と他の装置等を接続する配線を収納する接続用凹部１８３が形成されている。この接続用凹部１８３の上半部はカバー部材１６６によって覆われ、下半部は遊技制御装置３０によって覆われるようになっている。このように配線を接続用凹部１８３内に収納し、接続用凹部１８３の開口部分をカバー部材１６６および遊技制御装置３０で覆って閉鎖することにより、配線が露出してばらけてしまうことを防止することができる。
【００９９】
裏機構枠本体１６１の上面には、遊技機１００が設置される図示しない島設備に設けられた供給装置から供給される遊技球を一時貯留し、排出装置１９０に供給する球貯留タンク４０が取り付けられるようになっている。
【０１００】
図３、１１から１４に示すように、球貯留タンク４０は、略矩形箱状の部材であって、その長手方向が裏機構枠本体１６１の左右方向に沿うとともに、上側に開口するように裏機構枠本体１６１の上面に取り付けられている。このように裏機構枠本体１６１の上面に取り付けられた球貯留タンク４０の底面をなす底壁４０ａは、図１２（ｂ）に示すように、その長手方向に沿う遊技機１００の左右方向の一方（裏面側から見て左側）に下り傾斜するようになっている。なお、底壁４０ａは前後方向には傾斜していない。
【０１０１】
そして、図１１に示すように、この底壁４０ａを囲むように、底壁４０ａの傾斜下流側に位置し当該球貯留タンクに貯留された遊技球の球圧を受け止める傾斜下流壁４０ｂと、底壁４０ａの傾斜上流側に位置する傾斜上流壁４０ｃと、底壁４０ａの遊技盤側（前側）に位置する前壁４０ｄと、前壁４０ｄと対向する側（後側）に位置する後壁４０ｅとを備え、略矩形箱状に形成されている。
【０１０２】
この略矩形箱状の球貯留タンク４０の内部は、島設備の供給装置から供給された遊技球を貯留する貯留部４１と、該貯留部４１から遊技球を導出する後方案内流路４２と、後方案内流路４２により導出された遊技球を整列案内流路５２に誘導する接続流路４３とに分かれている。
【０１０３】
貯留部４１は最も大きい領域を占める部分であって、球貯留タンク４０内部の全体に対して、後方案内流路４２が形成される球貯留タンク４０内部の裏面側から見た左側部と、接続流路４３が形成される球貯留タンク４０内部の左側後部とを除いた部分に形成されている。上述したように球貯留タンク４０の底壁４０ａは裏面側から見て左側へ下り傾斜しており、この貯留部４１の底面は、裏面側から見て左側へ向かって下る傾斜面となっている。よって、貯留部４１内の遊技球は、球貯留タンク４０の左側へ流下案内されるようになっている。
【０１０４】
また、球貯留タンク４０の前壁４０ｄにおける貯留部４１の前壁となる部分であって、底壁４０ａから所定の高さの範囲には、貯留部４１内に（後方に）膨出する段部４４が形成されている。この段部４４によって、球貯留タンク４０の前側下部に、裏機構枠１６０の前側に配される遊技盤１の後方から突出する遊技装置を収容可能な遊技装置配置空間１８８（図５に図示）が拡大される。
【０１０５】
また、球貯留タンク４０の後壁４０ｅにおける貯留部４１の後壁となる部分であって、貯留部４１の下流側端部（裏面側から見た左端部）の近傍には、前方へ膨出する膨出部４５が形成されている。この膨出部４５が形成された位置は、球貯留タンク４０の裏面側から見て左側後部に形成された接続流路４３に隣設する位置であって、膨出部４５の左側の面４５ａ（底壁傾斜下流側）は接続流路４３の右側の面と面一になるように形成されている。
【０１０６】
また、この膨出部４５の左側の面であって、接続流路４３の前端よりも前側の位置には、左方へ突出する減圧壁４５ｂが形成されている。この減圧壁４５ｂは、接続流路４３側（後側）へ向かって傾斜下流壁４０ｂとの間隔が狭くなるように、左方への突出幅が大きくなるように形成されている。上述したように膨出部４５の左側の面４５ａと接続流路４３の右側の面は面一となっており、膨出部４５の左側の面４５ａから左方へ膨出する減圧壁４５ｂは、接続流路４３の前側に突出するように配され、接続流路４３の右側部分であって減圧壁４５ｂの後方に空間部４３ｂが形成される。
【０１０７】
また、膨出部４５の右側の面４５ｃ（底壁傾斜上流側）および膨出部４５の右側に隣接した底壁４０ａには、遊技球を前側に誘導する傾斜や段部が設けられており、左側へ向かって流下する遊技球を滑らかに前側へ誘導するようになっている。このように接続流路４３に隣設して形成された膨出部４５によって、貯留部４１から多量の遊技球が直接接続流路４３に流入することを防止し、この部分で球詰まりが発生しないようにしている。
【０１０８】
以上のことから、球貯留タンク４０には、接続流路４３への流入口より底壁傾斜上流側の後壁４０ｅに、前壁４０ｄ方向に膨出する膨出部４５を設け、膨出部４５の底壁傾斜下流側は、接続流路４３へ向かうほど傾斜下流壁４０ｂとの間隔が狭くなるように形成されて、接続流路４３へ遊技球が流入する遊技球の球圧を減らす減圧壁４５ｂを設けたこととなる。
【０１０９】
後方案内流路４２は、貯留部４１の下流側端部となる左端部と球貯留タンク４０の傾斜下流壁４０ｂとの間に形成されており、底面をなす導出面４２ａが底壁４０ａよりも一段低く形成された前後に延在する溝状の部分である。この後方案内流路４２の底面をなす導出面４２ａは、後方へ向かって下る傾斜面となっており、傾斜下流壁４０ｂによって受け止められた遊技球を整列案内流路５２側へ向かって流下案内するようになっている。
【０１１０】
また、導出面４２ａには、後方案内流路４２の傾斜下流側（後方）が低くなるように複数の段差４２ｂ、４２ｂが形成されている。図１３（ｅ）に示すように、この段差４２ｂ、４２ｂを設けることで、流下する遊技球が一直線上に重ならず、上下にずれて並ぶようになる。これにより、下流側へ向かってかかる流下する遊技球の圧力（球圧）の一部が上方へ逃げるようになり、球詰まりの発生を防止できる。
【０１１１】
さらに、図１１に示すように、後方案内流路４２は下流側（後方）へ向かって流路の幅（左右幅）が拡幅するように形成されている。そして、貯留部４１からこの後方案内流路４２に流入した遊技球は、傾斜に沿って後方へ誘導され、後方案内流路４２の後側に隣接する接続流路４３に流入するようになっている。
【０１１２】
以上のことから、後方案内流路４２には、後方案内流路４２の傾斜下流側に向けて低くなる複数の段差４２ｂ，４２ｂが設けられていることとなる。
【０１１３】
また、後方案内流路４２は、下流側へ向かって流路の幅が広がるように形成されていることとなる。
【０１１４】
接続流路４３は、球貯留タンク４０の左側後部に膨出するように形成された、上下に貫通する筒状の流路である。この接続流路４３の上流側端部は球貯留タンク４０内に開口しており、その前端部は後方案内流路４２の下流側端部のほか、貯留部４１の下流側部分の一部にも隣接しており、貯留部４１から直接流入することも可能とされている。ただし、上述した膨出部４５、減圧壁４５ｂによって貯留部４１から多量の遊技球が直接流入しないように規制されている。
【０１１５】
また、図１２（ｃ）に示すように、接続流路４３の下流側端部は球貯留タンク４０の下方に開口しており、球貯留タンク４０内の遊技球を排出する排出口４３ａをなす。この接続流路４３の下流側端部には、整列案内流路５２が接続されるようになっており、排出口４３ａから排出された遊技球は、整列案内流路５２に流入するようになっている。また、接続流路４３の下流側端部においては、整列案内流路５２の下流側方向となる裏面側から見た右側の側壁も排出口４３ａと連続して開口しており、この部分からも整列案内流路５２へ流出可能となっている。
【０１１６】
また、図１０，１１に示すように、球貯留タンク４０の左右の外側面には、球貯留タンク４０を裏機構枠本体１６１に固定するための固定部４９，４９が形成されている。この固定部４９は、裏機構枠本体１６１に形成された後方へ突出するボス状のねじ止め部７０を受け入れ可能な前方へ開口した凹部４９ａを有するとともに、ねじ止め部７０と対向する凹部４９ａの後部にねじ孔４９ｂが形成されている。また、固定部４９には、裏機構枠本体１６１に形成された嵌合部７１に嵌合可能な前方へ突出するボス４９ｃが凹部４９ａの下方に隣設して形成されている。さらに、固定部４９，４９が形成された球貯留タンク４０の左右の外側面であって、固定部４９，４９の前側となる位置には、前後方向に延在するリブ状の取付ガイド４８，４８が形成されている。そして、球貯留タンク４０を裏機構枠本体１６１に取り付ける際に、この取付ガイド４８，４８が裏機構枠本体１６１に形成された溝状の案内溝（図示略）に案内されることで、球貯留タンク４０が所定の位置に配されるようになっている。
【０１１７】
裏機構枠本体１６１の上部に配された球貯留タンク４０の排出口４３ａは、図９に示すように、後方壁１６１ａの背面に位置しており、この後方壁１６１ａの背面には、球貯留タンク４０の排出口４３ａに接続する遊技球流路を形成するための流路形成凹部１８４が形成されている。この流路形成凹部１８４は後方壁１６１ａの背面であって、裏機構枠１６０の裏面側から見て上側および右側の端部に隣接した位置に形成されている。このうち上側の流路形成凹部１８４は右側に向かって下る傾斜を有する整列案内流路取付部１９４を有し、ここに整列案内流路形成部材５０が取り付けられて整列案内流路５２が形成されている。
【０１１８】
また、図１０に示すように、右側の流路形成凹部１８４は、その上下方向の略中央に流路形成凹部１８４に連通する排出装置配設凹部１８５が形成されており、ここに排出装置１９０が取り付けられるようになっている。この排出装置配設凹部１８５は、裏機構枠１６０の中央方向に延在するように形成され、その中央側の端部の一部が接続用凹部１８３に連通している。そして、この排出装置配設凹部１８５を境にして、右側の流路形成凹部１８４の上部には、誘導流路形成部材１９６が取り付けられ、整列案内流路５２に連通するとともに排出装置１９０に接続する誘導流路２０２が形成されている。また、排出装置配設凹部１８５を境にして、右側の流路形成凹部１８４の下部には、流路構成部材１９７が取り付けられ、排出装置１９０から排出された遊技球を下方に流下案内する下部流路１９８が形成されている。さらに、誘導流路形成部材１９６から流路構成部材１９７へ連通するように球抜き流路１９９が形成されている。
【０１１９】
後方壁１６１ａの背面における上部には、流路形成凹部１８４を形成したことにより、後方に突出する段部が形成され、この段部の上面が、遊技球の流路を形成する整列案内流路形成部材５０を取り付ける取付部をなす整列案内流路取付部１９４とされている。また、この整列案内流路取付部１９４の下方には、表示ユニット１７０を前方に付勢する圧縮コイルばね１８２を取り付ける上述した付勢部材収納部１８１，１８１が形成されている。この整列案内流路取付部１９４の上面は、その前後幅（段部の後方に突出する幅）が遊技球の直径の２倍よりも広いものとされ、球貯留タンク４０の排出口４３ａが形成された位置から後述の誘導流路２０２にかけて、右側に下る傾斜を有するように形成されている。
【０１２０】
以上のことから、裏機構枠本体１６１は、前方を開口して後方壁１６１ａを有する略箱状に形成されるとともに、後方壁１６１ａの裏面側に整列案内流路５２が設けられ、後方壁１６１ａは、整列案内流路５２の下方が後方に膨出して、整列案内流路５２を取り付ける取付部（整列案内流路取付部１９４）を形成し、取付部の下方の膨出部に、表示ユニット１７０を前方に付勢する付勢部材（圧縮コイルばね１８２）を設けたこととなる。
【０１２１】
また、上側の流路形成凹部１８４における整列案内流路取付部１９４の上方に位置する壁面である流路形成凹部側壁１９５には、突出部１９５ａが形成されている。この突出部１９５ａは、後述する整列案内流路形成部材５０の前壁５５の厚みに等しい突出幅を有し、図９に示すように、突出部１９５ａと整列案内流路形成部材５０の前壁５５が面一になるようになっている。
【０１２２】
また、流路形成凹部側壁１９５には、整列案内流路５２内の遊技球を均すための球均し部材７６が取り付けられている。この球均し部材７６は、流路形成凹部側壁１９５から後方へ突出するように形成された取付軸に回動可能に嵌合する軸受部７６ａと、おもりが封入された均し部７６ｂとからなり、均し部７６ｂが整列案内流路５２の上部に揺動可能に軸支されたものである。この球均し部材７６によって、図１４（ｃ）に示すように、整列案内流路５２内で上下に重なって流下する遊技球が略一段になるように均される。
【０１２３】
図９から１４に示すように、整列案内流路取付部１９４に取り付けられる整列案内流路形成部材５０は、矩形状の底板５１と、該底板５１の一側面に、並列な二条の整列案内流路５２，５２（通路）を形成するように遊技球の直径より若干広い間隔をおいて底板５１に対し垂直に形成された、各々平行な後壁５３、中央壁５４、前壁５５とを備える。すなわち、整列案内流路形成部材５０は、側面から見て略Ｅ字状となっている。また、整列案内流路形成部材５０における整列案内流路５２，５２の上流側端部となる裏面側から見た左端部には、前壁５５と後壁５３の上流側端部を結ぶように側壁５６が形成されている。すなわち、上方から見て、前壁５５、側壁５６、後壁５３は底板５１の周囲を囲むようにＵ字状に形成されている。図１２に示すように、この整列案内流路形成部材５０は、整列案内流路５２，５２の底面である流路底壁５２ａが左右方向に延在し、球貯留タンク４０の底壁４０ａの傾斜方向とは逆に裏面側から見て右側へ下るように傾斜するように整列案内流路取付部１９４に載置されるようになっている。
【０１２４】
図１４（ｂ）に示すように、前壁５５は、整列案内流路取付部１９４の上方に位置する壁面である流路形成凹部側壁１９５に接するとともに、流路形成凹部側壁１９５に形成された突出部１９５ａの下側に連続して配されるようになっている。これにより、流路形成凹部側壁１９５と前壁５５が面一となり、流路形成凹部側壁１９５とともに整列案内流路５２の前側の側壁をなすようになっている。
【０１２５】
図９に示すように、後壁５３は所定の高さを有し、整列案内流路５２の後側の側壁をなすものである。この後壁５３の下流側端部における上端部には、流路形成凹部側壁１９５から後方へ突出するように形成されたボス１９５ｂの先端部を受け入れ可能な嵌合部５３ａが形成されている。このボス１９５ｂの後端部にはねじ止め部が形成されており、嵌合部５３ａに嵌合した状態で後壁５３の後面側からねじ止めすることで、整列案内流路形成部材５０の裏面側から見て右側を固定できるようになっている。なお、整列案内流路形成部材５０の後壁５３は、球貯留タンク４０の後壁４０ｅよりも後側に位置し、整列案内流路５２は、一部が球貯留タンク４０の後方に突出して配されるようになっている。これにより、球貯留タンク４０の下方であって、整列案内流路５２の前方に形成される遊技盤裏面側の遊技装置を配置する遊技装置配置空間１８８を広くすることができ、多彩な遊技盤１を配設可能となる。
【０１２６】
また、図１０に示すように、側壁５６の外側面には、整列案内流路形成部材５０を裏機構枠本体１６１に固定するための固定部５９が形成されている。この固定部５９は、裏機構枠本体１６１に形成された後方へ突出するボス状のねじ止め部７２を受け入れ可能な前方へ開口した凹部（図示略）を有するとともに、ねじ止め部７２と対向する凹部の後部にねじ孔５９ｂが形成されている。また、固定部５９には、裏機構枠本体１６１に形成された嵌合部７３に嵌合可能な前方へ突出するボス５９ｃが凹部の下方に隣設して形成されている。この固定部５９によって、整列案内流路形成部材５０の裏面側から見て左側を固定でき、上述の嵌合部５３ａと合わせて整列案内流路形成部材５０を裏機構枠本体１６１に固定できようになっている。
【０１２７】
底板５１は、整列案内流路取付部１９４上に配される部分であって、その上面が整列案内流路５２の流路底壁５２ａをなすようになっている。この整列案内流路５２の流路底壁５２ａを形成する底板５１の上面であって、整列案内流路形成部材５０における整列案内流路５２，５２の上流側端部となる裏面側から見た左端部（流路底壁上流側）には、底板５１から遊技球の直径程度、流路底壁５２ａ上流側が高くなった段部５１ａが前壁５５、後壁５３、側壁５６に接するように形成されている。なお、整列案内流路形成部材５０における整列案内流路５２，５２の上流側端部となる裏面側から見た左端部は、整列案内流路形成部材５０を所定位置に配した際にその上方に球貯留タンク４０の排出口４３ａが位置するようになっており、この部分が球貯留タンク４０からの遊技球を受け入れる受入部５０ａをなす。
【０１２８】
また、底板５１の上面に形成され、二条の整列案内流路５２，５２を区画する中央壁５４は、整列案内流路５２の上流側の受入部５０ａにおいてはほとんど高さがなく、遊技球が隣接する整列案内流路５２に流入可能とされている。そして、下流側へ向かうにつれて徐々に高くなるように形成され、球均し部材７６が配される位置より下流側では、遊技球の直径程度の高さに形成され、底板５１上を流下する遊技球が中央壁５４を乗り越えて隣接する整列案内流路５２に流入しないようにされている。これにより、球均し部材７６によって均された遊技球が前後二列で排出装置に流入するようになる。また、中央壁５４の上端部は、上方へ向かって幅が狭くなる尖った形状とされ、遊技球が中央壁５４の上端部で留まらないようにされている。すなわち、中央壁５４は整列案内流路５２，５２の下流側へ向かって高くなるように形成され、流下する遊技球を二条の整列案内流路５２，５２のいずれかに振り分けるようになっている。
【０１２９】
また、底板５１の下面には複数の脚５７，５７，…が形成されており、整列案内流路形成部材５０を整列案内流路取付部１９４に載置すると、整列案内流路形成部材５０はこの脚５７，５７，…によって支持される。これにより、脚５７，５７，…の高さの分だけ底板５１が整列案内流路取付部１９４の上面から離れて配され、底板５１と整列案内流路取付部１９４との間に空間部７７ができるようになっている。なお、整列案内流路５２，５２の上流側端部に位置する脚５７は、整列案内流路５２，５２の上流側端部に形成された段部５１ａの下部に形成されている。
【０１３０】
また、底板５１の受入部５０ａよりも下流側には、各整列案内流路５２の中央部に整列案内流路５２の延在方向に沿ったスリット５８が形成されている。このスリット５８は遊技球の直径より狭い幅とされ、整列案内流路５２を流下する遊技球が、このスリット５８に沿って一列に流下するとともに、遊技球に付着していたごみなどが、スリット５８から空間部７７に落下するようになっている。
【０１３１】
また、球貯留タンク４０からの遊技球を受け入れる受入部５０ａにおいては、前壁５５、後壁５３、側壁５６が同じ高さに形成されている。この前壁５５、後壁５３、側壁５６の高さは、整列案内流路形成部材５０を所定位置に配した際に、接続流路４３の下端部と近接して配されるような高さとされ、また、接続流路４３の前後幅と整列案内流路形成部材５０の前後幅とが同じ幅とされている。これにより、前壁５５、後壁５３、側壁５６が接続流路４３の側壁に沿って上下に連続するように配され、接続流路４３と整列案内流路５２とが連通するようになっている。また、整列案内流路形成部材５０を所定位置に配した際に整列案内流路５２の下流側端部は、後述する誘導流路形成部材１９６の流入口１９６ａに隣設して配され、整列案内流路５２と誘導流路２０２とが連通するようになっている。
【０１３２】
以上のことから、遊技領域（第１遊技領域１ａ）を形成する遊技盤１を着脱可能に配設する前面枠１２０と、該前面枠１２０の裏面側に設けられ、遊技球を排出する球排出機構が設けられる裏機構枠１６０と、を備えた遊技機１００であって、裏機構枠１６０は、裏機構枠本体１６１と、該裏機構枠本体１６１の上部に配設され、遊技球を貯留する球貯留タンク４０と、該球貯留タンク４０の後方且つ下方に配設され、該球貯留タンク４０から流下された遊技球を整列して案内する整列案内流路５２と、を備え、整列案内流路５２の前方の遊技盤裏面側に遊技装置を配置する遊技装置配置空間１８８を形成し、球貯留タンク４０は、上面が開口する平面略長方形の箱形に形成され、当該球貯留タンク４０の長手方向に沿う遊技機左右方向の一方に下り傾斜する底壁４０ａと、該底壁４０ａの傾斜下流側に位置し当該球貯留タンク４０に貯留された遊技球の球圧を受け止める傾斜下流壁４０ｂと、底壁４０ａの傾斜上流側に位置する傾斜上流壁４０ｃと、底壁４０ａの遊技盤側に位置する前壁４０ｄと、前壁４０ｄと対向する後壁４０ｅと、を備え、且つ、底壁４０ａの傾斜下流側に形成され、後方に下り傾斜する溝状で、傾斜下流壁４０ｂに受け止められた遊技球を整列案内流路５２側に案内する後方案内流路４２と、底壁傾斜下流側の後壁４０ｅを後方に膨出させて形成し、上下方向に貫通して下端が整列案内流路５２に接続され、後方案内流路４２に案内された遊技球を下方に流下させる接続流路４３と、を有し、整列案内流路５２は、樋状に形成されるとともに、流路底壁５２ａが球貯留タンク４０の底壁４０ａの傾斜方向とは反対方向に下り傾斜し、流路底壁５２ａには、該流路底壁上流側で接続流路の下方に、流路底壁５２ａ上流側が高い段部５１ａを設けたこととなる。
【０１３３】
なお、整列案内流路５２に段部５１ａを一つ設けるとしたが、整列案内流路５２の上流側へ向けて高くなるように複数の段部を設けても良い。
【０１３４】
図８に示すように、裏機構枠本体１６１の裏面側から見て右側の流路形成凹部１８４に取り付けられた誘導流路形成部材１９６は、その内部に整列案内流路５２に連通するとともに排出装置１９０に接続する誘導流路２０２が形成されている。この誘導流路形成部材１９６は、後方壁１６１ａの背面における上側に形成された流路形成凹部１８４と右側に形成された流路形成凹部１８４の接続部分、すなわち、裏機構枠本体１６１の裏面側から見て右上の角部に沿って配されるＬ字形の部材である。また、誘導流路形成部材１９６の内部には、前後二列にかつ上下一段で遊技球を流下させる誘導流路２０２が形成されている。
【０１３５】
このＬ字形をした誘導流路形成部材１９６の一端部であって、上側の流路形成凹部１８４に配される部分には、上述の整列案内流路５２に連通し、誘導流路２０２の入口をなす流入口１９６ａが形成されている。この流入口１９６ａは、整列案内流路５２に連続する前後二条の流路を有し、上部には、整列案内流路５２の下流側における上端部から流入口１９６ａの上部にかけて下る傾斜を有する板状の案内部材１９６ｂが設けられている。この案内部材１９６ｂは、整列案内流路５２内で上下に数段重なって流下する遊技球を押さえるとともに、流入口１９６ａに向かって上下一段になるように案内するものである。なお、板状の案内部材１９６ｂは、積み重なった状態の遊技球同士が噛み合ってブリッジを形成することを防止するため、下流側の端部が回動可能に軸着されているとともに上流側の端部におもり１９６ｃが取り付けられて上下に揺動可能に構成されている。
【０１３６】
そして、誘導流路形成部材１９６内には、図８に示すように、左右に蛇行しながら下る誘導流路２０２が形成され、流入口１９６ａから流入した遊技球が左右に折り返しながら下流側へ案内されるようになっている。そして、このように形成された誘導流路２０２は、誘導流路形成部材１９６の下端部に形成された排出口１９６ｄが排出装置１９０の流入口１９０ａに接続するようになっている。
【０１３７】
また、誘導流路形成部材１９６の流入口１９６ａから少し下流側の位置には、上部に半端センサ１９３が設けられている。この半端センサ１９３は、基本的には、球貯留タンク４０および整列案内流路５２内の遊技球の残量が１回に払い出される遊技球数のうちの最大数より少なくなった場合に、１回の排出数に満たない半端な数の遊技球が払い出されるのを防止するものである。また、半端センサ１９３は、球貯留タンク４０に遊技球が無いのに、排出装置１９０が作動するのを防止すものである。
【０１３８】
この半端センサ１９３は、誘導流路２０２内に延出するアーム１９３ｂを備え、該アーム１９３ｂに遊技球が触れているか否かにより遊技球の存在を検出するようになっている。なお、半端センサ１９３として、遊技球を非接触で検出する近接センサなどを用いても良い。
【０１３９】
また、誘導流路２０２における最も上流側の屈曲部分には、遊技球が流下する流路を球抜き流路１９９と誘導流路２０２とに切り替える切替部材１９６ｆが設けられている。この切替部材１９６ｆは、常時、遊技球を下段の誘導流路２０２に案内するようになっているが、球抜きの際に、球抜き操作部１９６ｅを操作することによって、この切替部材１９６ｆを遊技球が誘導流路２０２に隣接して形成された球抜き流路１９９へ流入するように切り替えることができる。なお、球抜き流路１９９は、後述する流路構成部材１９７に連通し、球貯留タンク４０および整列案内流路５２内の遊技球を遊技機１００の外部（島設備の回収樋）に抜き取るためのものである。
【０１４０】
排出装置１９０は、裏機構枠本体１６１の裏面側から見て、右側の流路形成凹部１８４における上下方向の略中央に形成された排出装置配設凹部１８５に、ここに形成されたフック１８５ａで係止されることにより取り付けられている。この排出装置１９０は略直方体状であって、上部に誘導流路２０２からの遊技球を受け入れる流入口１９０ａを、下部に下部流路１９８へ遊技球を排出する排出口１９０ｂを備えており、排出発射制御装置３４が遊技制御装置３０の制御の下で排出装置１９０を作動させることで、所定数の遊技球を下部流路に排出するようになっている。
【０１４１】
この排出装置１９０の内部には、外周に遊技球を受け入れ可能な複数の球受け凹部１９０ｃ，１９０ｃ，…を有するスプロケット１９０ｄ、このスプロケット１９０ｄを回転駆動する駆動源１９０ｅ（例えばステッピングモータ）、配線の中継基板１９０ｆを備えている。
【０１４２】
排出装置１９０を排出装置配設凹部１８５に配設した状態では、流入口１９０ａに誘導流路形成部材１９６の排出口１９６ｄが接続し、誘導流路２０２を流下した遊技球が排出装置１９０内に流入するようになっている。そして、誘導流路２０２から排出装置１９０内に流入した遊技球は、排出装置１９０内の排出流路１９０ｉを通ってスプロケット１９０ｄの上部に至り、スプロケット１９０ｄの外周に形成された球受け凹部１９０ｃに１つずつ保持される。スプロケット１９０ｄは駆動源１９０ｅによって所定角度ずつ回転するようになっており、これに伴って球受け凹部１９０ｃに保持された遊技球も下方へ移動し、球受け凹部１９０ｃで保持できない角度まで回転すると、遊技球がスプロケット１９０ｄの下方に形成された排出流路１９０ｉに流入するようになっている。
【０１４３】
なお、排出装置１９０にも誘導流路２０２と同様に前後に並んだ二条の流路が設けられており、これに対応してスプロケット１９０ｄは前後に２つ設けられている。ただし、前後のスプロケット１９０ｄは、１つの駆動源１９０ｅにより一緒に回転するようになっており、球受け凹部１９０ｃの位置を周方向に沿って互いにずれた位置に設ける（位相をずらして設ける）ことで、所定角度回転するごとに前後の流路から交互に遊技球が下方に流下するようになっている。すなわち、遊技球流路からの遊技球を一個宛排出可能に構成されている。また、スプロケット１９０ｄより下流側の流路は一条の流路とされている。
【０１４４】
スプロケット１９０ｄの下方に形成された流路に流入した遊技球は、排出球センサ１９０ｇによって検出された後、排出装置１９０の下方に形成された排出口１９０ｂから排出される。この排出口１９０ｂには、流路構成部材１９７に形成された下部流路１９８の流入口が接続しており、排出口１９０ｂから排出された遊技球は下部流路１９８に流入し、さらに下方へ流下案内される。
【０１４５】
また、排出装置１９０には、配線を中継する中継基板１９０ｆが設けられており、この中継基板１９０ｆのコネクタ１９０ｈは、接続用凹部１８３に面する排出装置１９０の側面に露出している。そして、このコネクタ１９０ｈに接続された配線は、接続用凹部１８３を通って排出発射制御装置３４に接続されるようになっており、排出発射制御装置３４が遊技制御装置３０の制御の下で排出装置１９０を制御できるようになっている。
【０１４６】
排出装置配設凹部１８５を境にして、右側の流路形成凹部１８４の下部には流路構成部材１９７が取り付けられて、排出装置１９０から排出された遊技球を下方に流下案内する下部流路１９８が形成されている。この下部流路１９８は、その流入口が排出装置１９０の排出口１９０ｂに接続しており、ここから流入した遊技球は下部流路１９８に沿って下方に案内される。そして、下部流路１９８の下端部の排出口は遊技機前面側の上皿１５３に連通する流路に接続しており、これによって排出装置１９０から排出された所定数の遊技球が、発射操作ユニット１５０の前面に形成された上皿１５３に払い出されるようになっている。
【０１４７】
また、この流路構成部材１９７は、排出装置１９０を介さずに誘導流路２０２から遊技機の外部に遊技球を排出する球抜き流路１９９を備えている。この球抜き流路１９９は、誘導流路形成部材１９６に設けられた球抜き流路１９９に連通し、排出装置１９０の側方を通って下方に延在するように形成されており、その下端部の排出口は遊技機１００の外部（島設備の回収樋）に連通する流路に接続するようになっている。
【０１４８】
次に、以上のような球排出機構における遊技球の流下態様について説明する。
遊技機１００は、例えば、遊技機１００のメンテナンスやトラブル発生時などにおいて、遊技店の島設備に固定された機枠１１０に対して前面枠１２０を扉状に前側に開放して、作業を行う。この前面枠１２０を開放した状態から、前面枠１２０を閉じるように後方へ回動させて機枠１１０内に収納すると、図７に示すように、島設備の補給レバー２１０が球貯留タンク４０の後壁４０ｅに当接し、後方へ押し込まれる。
【０１４９】
この補給レバー２１０は、島設備に設けられた補給装置の制御装置が、前面枠１２０の開閉を検出して遊技球の補給の可否を判定するためのものであり、付勢部材によって前側に付勢された状態となっている。そして、前面枠１２０が閉鎖されて補給レバー２１０が後方に押し込まれることで、補給装置の制御装置が前面枠１２０の閉鎖を検出し、遊技球の補給が開始される。これにより、所定量の遊技球が球貯留タンク４０に貯留されるまで補給装置から遊技球が補給される。また、前面枠１２０が開放されて補給レバー２１０が付勢力によって前側に移動することで、補給装置の制御装置が前面枠１２０の開放を検出し、遊技球の補給を中止するようになっている。なお、補給レバー２１０には球貯留タンク４０の後壁４０ｅが当接するが、その下方に配される整列案内流路形成部材５０は補給レバー２１０に当接しないようになっている。
【０１５０】
島設備の補給装置から球貯留タンク４０に補給された遊技球は、貯留部４１内を底壁４０ａの傾斜に沿って裏面側から見て左側へ流下し、後方案内流路４２に流入するようになっている。このとき、貯留部４１の最も後壁４０ｅ沿いを流下する遊技球は、膨出部４５を回り込むように誘導され、多量の遊技球が接続流路４３に直接流入しないように規制される。
【０１５１】
後方案内流路４２に流入した遊技球は、傾斜に沿って後方に向かって流下し接続流路４３に流入する。この後方案内流路４２の底面をなす導出面４２ａには、上述したように傾斜下流側に向けて低くなる複数の段差４２ｂ、４２ｂが形成され、図１３（ｅ）に示すように、下流側へ向かってかかる遊技球の圧力（球圧）の一部を逃がし、球詰まりの発生を防止している。そして、後方へ傾斜する後方案内流路４２の傾斜に沿って接続流路４３に流入し、整列案内流路５２に誘導されるようになっている。
【０１５２】
接続流路４３は、裏面側から見て最も左側に位置する傾斜下流壁４０ｂから右側へ向かって、順に流下態様の異なる第１流下部、第２流下部、第３流下部、空間部４３ｂに分かれている。図１３（ｂ）に示すように、第１流下部は、後方案内流路４２を流下した遊技球を受け入れ、整列案内流路５２に形成された段部５１ａへ向かって流下するようになっている。また、図１３（ｃ）に示すように、第２流下部は、後方案内流路４２を流下した遊技球を受け入れ、整列案内流路５２の段部５１ａより低い流路底壁５２ａへ向かって流下するようになっている。また、図１３（ｄ）に示すように、第３流下部は、貯留部の底壁から遊技球を受け入れ、整列案内流路の段部より低い流路底壁５２ａへ向かって流下するようになっている。なお、膨出部４５、減圧壁４５ｂによって貯留部４１から多量の遊技球が接続流路に直接流入しないように規制されている。
【０１５３】
また、図１３（ａ）に示すように、空間部４３ｂは、裏面側から見て第３流下部より右側、すなわち、整列案内流路５２の流路底壁傾斜下流側であって、膨出部４５に形成された減圧壁４５ｂの後方に位置する空間である。この空間部４３ｂは、主に隣接する第３流下部からの遊技球を受け入れるようになっており、これにより、第３流下部、第２流下部、第１流下部の遊技球の密度を減少し、接続流路４３内の球圧を減少させるものである。このように、接続流路４３が複数の流下部を備えることで遊技球の流下態様が複雑になり、さらに、遊技球の球圧を減少させる空間部４３ｂを備えることで球詰まりを防止することができる。これにより、安定した遊技球の供給を可能としたまま接続流路４３を長くして整列案内流路５２を補給レバー２１０と干渉しない位置まで下げて配設できる。
【０１５４】
図１４（ｃ）に示すように、接続流路４３から整列案内流路５２に流入した遊技球は、流路底壁５２ａの傾斜に沿って流下し、誘導流路２０２を経て排出装置１９０に至る。そして、排出装置１９０が動作することによって、下部流路１９８を経て発射操作ユニット１５０の前面に形成された上皿１５３に排出される。なお、球貯留タンク４０の排出口から排出装置１９０に至る流路内には、常に遊技球が待機している状態となっており、排出装置１９０によって流路内の遊技球が排出されることに伴って球貯留タンク４０から流路に遊技球が流入するようになっている。
【０１５５】
以上のことから、接続流路４３は、後方案内流路４２から段部５１ａへ向かって流下する第１流下部と、後方案内流路４２から段部５１ａより低い流路底壁５２ａへ向かって流下する第２流下部と、底壁４０ａから段部５１ａより低い流路底壁５２ａへ向かって流下する第３流下部と、第３流下部より流路底壁傾斜下流側の空間部４３ｂと、を有することとなる。
【０１５６】
以上のような遊技機１００は、遊技領域（第１遊技領域１ａ）を形成する遊技盤１を着脱可能に配設する前面枠１２０と、該前面枠１２０の裏面側に設けられ、遊技球を排出する球排出機構が設けられる裏機構枠１６０と、を備えた遊技機１００であって、裏機構枠１６０は、裏機構枠本体１６１と、該裏機構枠本体１６１の上部に配設され、遊技球を貯留する球貯留タンク４０と、該球貯留タンク４０の後方且つ下方に配設され、該球貯留タンク４０から流下された遊技球を整列して案内する整列案内流路５２と、を備え、整列案内流路５２の前方の遊技盤裏面側に遊技装置を配置する遊技装置配置空間１８８を形成し、球貯留タンク４０は、上面が開口する平面略長方形の箱形に形成され、当該球貯留タンク４０の長手方向に沿う遊技機左右方向の一方に下り傾斜する底壁４０ａと、該底壁４０ａの傾斜下流側に位置し当該球貯留タンク４０に貯留された遊技球の球圧を受け止める傾斜下流壁４０ｂと、底壁４０ａの傾斜上流側に位置する傾斜上流壁４０ｃと、底壁４０ａの遊技盤側に位置する前壁４０ｄと、前壁４０ｄと対向する後壁４０ｅと、を備え、且つ、底壁４０ａの傾斜下流側に形成され、後方に下り傾斜する溝状で、傾斜下流壁４０ｂに受け止められた遊技球を整列案内流路５２側に案内する後方案内流路４２と、底壁傾斜下流側の後壁４０ｅを後方に膨出させて形成し、上下方向に貫通して下端が整列案内流路５２に接続され、後方案内流路４２に案内された遊技球を下方に流下させる接続流路４３と、を有し、整列案内流路５２は、樋状に形成されるとともに、流路底壁５２ａが球貯留タンク４０の底壁４０ａの傾斜方向とは反対方向に下り傾斜し、流路底壁５２ａには、該流路底壁上流側で接続流路の下方に、流路底壁５２ａ上流側が高い段部５１ａを設けている。
【０１５７】
したがって、球貯留タンク４０から流下された遊技球を整列して案内する整列案内流路５２を、遊技盤１を配設する前面枠１２０の裏面側に設けられる裏機構枠本体１６１の上部に配設される球貯留タンク４０より後方に設けたので、遊技盤上部後方に大きな遊技装置配置空間１８８を形成することができる。これにより、多彩な遊技装置を配設した遊技盤１を配設でき、遊技の興趣を向上することができる。
【０１５８】
また、整列案内流路５２の流路底壁５２ａには、該流路底壁上流側で上下方向に貫通して下端が整列案内流路５２に接続された接続流路４３の下方に、流路底壁５２ａ上流側が高い段部５１ａを設けたので、この部分における球詰まりの発生を防止できる。すなわち、遊技球が上下に重なる接続流路では、下方にある遊技球に積み重なった遊技球の重さによる大きな圧力がかかり、球詰まりが発生する虞があるが、段部５１ａを設けることで上方からの圧力が分散され、球詰まりの発生を防止できる。これにより、球排出機構への安定した遊技球の供給を可能としたまま接続流路４３を長くして整列案内流路５２を補給レバー２１０と干渉しない位置まで下げて配設できる。
【０１５９】
また、後方案内流路４２には、該後方案内流路４２の傾斜下流側に向けて低くなる複数の段差４２ｂ，４２ｂが設けられている。
【０１６０】
したがって、後方案内流路４２に傾斜下流側に向けて低くなる段差４２ｂ，４２ｂを複数設けたので、遊技球の流下方向にかかる圧力を段差部分で上方へ逃がすことができ、球詰まりの発生を防止できる。
【０１６１】
また、後方案内流路４２は、下流側へ向かって流路の幅が広がるように形成されている。
【０１６２】
したがって、後方案内流路４２は、下流側へ向かって流路の幅が広がるように形成されているので、スムーズに整列案内流路５２へ遊技球を誘導できる。
【０１６３】
また、球貯留タンク４０には、接続流路４３への流入口より底壁傾斜上流側の後壁４０ｅに、前壁４０ｄ方向に膨出する膨出部４５を設け、膨出部４５の底壁傾斜下流側は、接続流路４３へ向かうほど傾斜下流壁４０ｂとの間隔が狭くなるように形成されて、接続流路４３へ遊技球が流入する遊技球の球圧を減らす減圧壁４５ｂを設けている。
【０１６４】
したがって、球貯留タンク４０の接続流路４３への流入口より底壁傾斜上流側の後壁４０ｅに、前壁４０ｄ方向に膨出する膨出部４５を設けたので、球貯留タンク４０上流側からの球圧を減圧するとともに、接続流路４３へ球貯留タンク４０上流部から直接遊技球が流れ込むのを防止でき、接続流路４３の流入口付近での球詰まりを防止できる。また、膨出部４５の底壁傾斜下流側は、接続流路４３へ向かうほど傾斜下流壁４０ｂとの間隔が狭くなるように形成されて、接続流路４３へ遊技球が流入する遊技球の球圧を減らす減圧壁４５ｂを設けたので、接続流路４３へ流入する遊技球の球圧を減らすとともに、減圧壁４５ｂの後方に位置する接続流路４３内に球圧を減らす空間部４３ｂが形成され、球詰まりを防止できる。
【０１６５】
また、接続流路４３は、後方案内流路４２から段部５１ａへ向かって流下する第１流下部と、後方案内流路４２から段部５１ａより低い流路底壁５２ａへ向かって流下する第２流下部と、底壁４０ａから段部５１ａより低い流路底壁５２ａへ向かって流下する第３流下部と、第３流下部より流路底壁傾斜下流側の空間部４３ｂと、を有する。
【０１６６】
したがって、接続流路４３は、後方案内流路４２から段部５１ａへ向かって流下する第１流下部と、後方案内流路４２から段部５１ａより低い流路底壁５２ａへ向かって流下する第２流下部と、底壁４０ａから段部５１ａより低い流路底壁５２ａへ向かって流下する第３流下部と、第３流下部より流路底壁傾斜下流側の空間部４３ｂと、を有するので、複数種類の流下部を形成することにより球によるブリッジができにくくなる。すなわち、遊技球が複数種類の流下部を流下するので、遊技球の流下態様が一様にならず複雑に流下することとなり、ブリッジが形成され難く、また、ブリッジが形成されてもすぐに崩れるので球詰まりが発生しない。また、接続流路４３内に空間部４３ｂを有するので、接続流路内の球圧を減らすことができ、球詰まりを防止できる。
【０１６７】
また、遊技盤前面の所要領域において遊技に関わるゲームを表示するようにし、裏機構枠１６０は、遊技盤１の後方の遊技装置配置空間１８８に、表示ゲームを実行する表示ユニット１７０を前後方向にスライド可能に支持するようにしている。
【０１６８】
したがって、裏機構枠１６０は、遊技盤１の後方の遊技装置配置空間１８８に、表示ゲームを実行する表示ユニット１７０を前後方向にスライド可能に支持するので、遊技盤１の後方突出量に応じて表示ユニット１７０の前後位置を変化でき、複数種類の遊技盤１を装着可能となる。また、このように裏機構枠１６０によって前後動可能に支持されるので大型の表示ユニット１７０も配設可能となる。さらに、裏機構枠１６０に表示ユニット１７０を設けることで、遊技盤１を新規なものに交換する場合でも、表示ユニット１７０をそのまま残して共通使用することが可能となる。
【０１６９】
また、裏機構枠本体１６１は、前方を開口して後方壁１６１ａを有する略箱状に形成されるとともに、後方壁１６１ａの裏面側に整列案内流路５２が設けられ、後方壁は、整列案内流路５２の下方が後方に膨出して、整列案内流路５２を取り付ける取付部（整列案内流路取付部１９４）を形成し、取付部の下方の膨出部に、表示ユニット１７０を前方に付勢する付勢部材（圧縮コイルばね１８２）を設けている。
【０１７０】
したがって、裏機構枠本体１６１の後方壁は、整列案内流路５２の下方が後方に膨出して、整列案内流路を取り付ける取付部を形成しているので、球貯留タンク４０から流下する遊技球の球圧のかかる整列案内流路５２をしっかり固定できるため球詰まりを防止できる。また、取付部の下方の膨出部に、表示ユニット１７０を前方に付勢する付勢部材を設けたので、空間の有効利用ができる。
【０１７１】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１７２】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７３】
１      遊技盤
１ａ    第１遊技領域（遊技領域）
４０    球貯留タンク
４０ａ  底壁
４０ｂ  傾斜下流壁
４０ｃ  傾斜上流壁
４０ｄ  前壁
４０ｅ  後壁
４２    後方案内流路
４２ｂ  段差
４３    接続流路
４３ｂ  空間部
４５    膨出部
４５ｂ  減圧壁
５１ａ  段部
５２    整列案内流路
５２ａ  流路底壁
１００  遊技機
１２０  前面枠
１６０  裏機構枠
１６１  裏機構枠本体
１７０  表示ユニット
１８２  圧縮コイルばね（付勢部材）
１８８  遊技装置配置空間
１９４  整列案内流路取付部（取付部）
２１０  補給レバー
【図１】
2010279814.tif 000003
【図２】
2010279814.tif 000004
【図３】
2010279814.tif 000005
【図４】
2010279814.tif 000006
【図５】
2010279814.tif 000007
【図６】
2010279814.tif 000008
【図７】
2010279814.tif 000009
【図８】
2010279814.tif 000010
【図９】
2010279814.tif 000011
【図１０】
2010279814.tif 000012
【図１１】
2010279814.tif 000013
【図１２】
2010279814.tif 000014
【図１３】
2010279814.tif 000015
【図１４】
2010279814.tif 000016